(57)【要約】【課題】枠体などに対する固定強度と、耐力壁用面材としての水平抵抗性能が高く、施行作業性も良く、建築費用削減に有効となる、多孔鋼板と木質系板材からなる構造用合板を提供することを目的とする。【解決手段】建築物を形成する壁構造体の枠体２に添設される略矩形状をなす構造用合板１であって、木質系からなる複数の板材９，１０，１１と、少なくとも１枚の正面視略円形の小さな孔を多数有する薄板状の鋼材である多孔鋼板６とを積層して接着剤で貼り合わし加熱加圧され一体化された積層体と、表側に積層された板材９に多孔鋼板６の孔部７の位置を表示した表示部４との構成からなる。【選択図】図１
2019196603.tif 000002
【特許請求の範囲】
【請求項１】
建築物を構成する壁構造体の枠体に添設される構造用合板であって、木質系からなる複数の板材と、少なくとも１枚の小さな孔を多数有する薄板状の鋼材からなる多孔鋼板とを積層して貼りあわされた積層体と、前記積層体の表面部に前記多孔鋼板の孔部位置を表示した表示部を有することを特徴とする構造用合板。
【請求項２】
前記多孔鋼板は、前記木質系からなる複数の板材の間に介装されて一体に形成されていることを特徴とする請求項１に記載の構造用合板。
【請求項３】
前記表示部は、前記積層体の表面が円形の凹形状に形成されることで表示されていることを特徴とする請求項１又は２に記載の構造用合板。
【請求項４】
前記表示部に、前記孔部と連通し釘打ち、若しくは、ねじ止めに使用する下孔部が形成されていることを特徴とする請求項１から３のいずれか１項に記載の構造用合板。
【請求項５】
前記下孔部は、前記構造用合板の周縁部に位置する前記表示部であって、前記構造用合板を取付ける固定強度を確保できる所要間隔で形成されていることを特徴とする請求項１から４のいずれか１項に記載の構造用合板。
【請求項６】
前記孔部の内周縁を突設されたフランジ部を有することを特徴とする請求項１から５のいずれか１項に記載の構造用合板。
【発明の詳細な説明】
【技術分野】
【０００１】
本発明は、建築物の壁構造体等に使用する耐力壁用面材に関し、特に、小さな孔を多数有する薄板鋼板と、木質系板材とを積層し貼り合わせてなる構造用合板に関するものである。
【背景技術】
【０００２】
従来は、地震や強風時等によって建物に作用する水平力に対しては、壁構造体の特に面材が抵抗力を発揮し、面材の水平抵抗性能が建物の耐震性能等に大きな影響をあえていた。しかし、面材の主な建材である木質系板材からなる従来の構造用合板は、水平抵抗性能がさほど高くはなかった。そこで、建物の耐震性能等を向上させる為には、例えば、構造用合板の厚さを厚くするか、壁構造体の数を増やすなどで対処する必要があった。
【０００３】
ところが、構造用合板の厚さを厚くする、もしくは、壁構造体の数を増すと、住居スペースが減少するという問題や、建築費が増加する問題もあった。さらに、それ以外の工法として、筋違い（ブレース）を設けるなどにより許容強度を向上する工法もあるが、その工法では、筋違い（ブレース）自体や、ブラケットなどの建材費増加に加え、工期が延長される為の施工費増加等の問題もあった。
【０００４】
このような問題に対して、特許文献１には、木材合板の片面又は両面全体に金属薄板を、或は金属薄板の両面全体に木材合板を接着剤により接着重合して成る建材用合板（構造用合板）が開示されている。
【先行技術文献】
【特許文献】
【０００５】
【特許文献１】実開昭４９−１３２６１３号公報
【発明の概要】
【発明が解決しようとする課題】
【０００６】
しかし、特許文献１に記載の建材用合板（構造用合板）では、所要の強度を有する金属薄板を使用した建材用合板（構造用合板）では、枠体等に留め付ける作業性が悪化する問題や、釘打ち作業時に釘で金属薄板が変形し、木材合板との接着面が剥がれ易く、固定強度を維持できないという問題もあった。
【０００７】
本発明は、上記課題を鑑みてなされたものであり、枠体などに対する固定強度と、耐力壁用面材としての水平抵抗性能が高く、施行作業性も良く、さらに、建築費削減に有効な多孔鋼板と木質系板材とからなる構造用合板を提供することを目的とする。
【課題を解決するための手段】
【０００８】
本発明は、上記目的を達成するために案出されたものである。詳述するならば、建築物を構成する壁構造体の枠体に添設される略矩形状をなす構造用合板であって、木質系からなる複数の板材と、少なくとも１枚の正面視略円形の小さな孔を多数有する薄板状の鋼材である多孔鋼板とを積層して、接着剤で貼り合わし加熱加圧され一体化された積層体と、前記積層体の表側に前記多孔鋼板の孔部位置を表面から識別出来得るように表示された表示部を有する構成が含まれる。
【０００９】
本発明の構造用合板は、積層体の中に多孔鋼板を介装してあることから、木質系板材のみからなる構造用合板に比べ水平抵抗性能が高められる効果がある。
また、構造用合板の表示部は、構造用合板を枠体に留め付ける際に、多孔鋼板の孔部を取付け孔として利用する為の位置表示であり、多孔鋼板が中間や裏側に積層されていても、表面側より孔部位置が容易に判別できる効果があり、同時に孔部を取付け孔として利用することで固定強度も向上する。
【００１０】
また、本発明には、前記多孔鋼板が前記木質系からなる複数の板材の間に介装されて一体に接着剤で貼り合わされ固定された構成が含まれる。
【００１１】
本発明の構造用合板は、複数の木質系板材の間に多孔鋼板が介装された積層構造を有するので、外観上は構造用合板の裏表をあまり意識する必要がない。また、構造用合板の表面が、木質系板材なために釘やネジ等を使用する際、先端部が入り易い、さらに、頭部が表面側板材の表面から突出しにくいなどの効果がある。
【００１２】
本発明には、前記表示部が、前記積層体の表面部を正面視円形の凹形状に形成されている構成が含まれる。
【００１３】
本発明の構造用合板は、構造用合板の取付け孔となる孔部の位置を表示する表示部を、凹形状に形成していることから、釘やネジ等の頭部が、さらに表面に突出し難いことで、仕上げ用の内装材に影響を与えない利点がある。
【００１４】
本発明には、前記表示部に前記孔部と連通し、釘打ち若しくは、ねじ止めに使用し得る下孔部が形成されている構成が含まれる。
【００１５】
本発明の構造用合板は、構造用合板を枠体に留め付ける作業性をより向上したもので、詳しくは、下孔が開いているので、作業現場で釘やネジなどの締結作業も容易となる効果がある。
【００１６】
本発明には、前記下孔部が、前記構造用合板の周縁部に位置する前記表示部であって、前記構造用合板を枠体等に留め付ける固定強度を確保でき、かつ、壁構造体としての構造強度を得ることができる所要間隔で形成されている構成が含まれる。
【００１７】
本発明の構造用合板は、作業現場で固定強度などから必要な釘やネジなどの締結位置を事前に測定してマーキングする作業が不要となると共に、釘やネジなどの止め忘れなども防止できる効果がある。
【００１８】
本発明には、前記孔部の内周縁を、前記多孔鋼板に対し略垂直に突設された状態に形成されたフランジ部を有する構成が含まれる。
【００１９】
本発明の構造用合板は、フランジ部を有することで、釘やネジなどの取付け部品で締結する際の案内となる効果や、釘やネジなどの胴部とフランジ部とが接触することによる固定強度の向上効果、さらに、多孔鋼板から突設されていることから、木質系板材と強固に合着されることで、構造用合板の反りや剥がれ防止効果が得られる。
【発明の効果】
【００２０】
本発明の構造用合板は、従来の構造用合板に比べ、枠体などに対する固定強度と耐力壁用面材としての水平抵抗性能が高く、施行作業性も良いので施工費削減に効果がある。
【図面の簡単な説明】
【００２１】
【図１】本発明に係る構造用合板を枠体に留め付けた状態を示す一部切断正面図である。
【図２】木質系板材の間に多孔鋼板を介装させた構造用合板の断面図である。
【図３】表裏面に表示部を設けた構造用合板の一実施形態を示す断面図である。
【図４】図３に係る表示部の他の実施形態を示す構造用合板の断面図である。
【図５】図３に係る構造用合板に下孔加工をした状態を示す構造用合板の断面図である。
【図６】多孔鋼板にフランジ部を設けた状態を示す拡大部分断面図である。
【図７】多孔鋼板の表裏にフランジ部を設けた状態を示す拡大部分断面図である。
【発明を実施するための形態】
【００２２】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
なお、本実施形態において、構造用合板１を枠体２に留め付けた状態で建物の外側から見た構造用合板を表側または正面、反対側を裏側または背面ということとする。
【００２３】
（実施形態）
図１に示されるのは、構造用合板１を枠体２に釘３で留め付けた状態であり、構造用合板１は、正面視矩形状に形成されている。構造用合板１の表裏面の周縁部には、多孔鋼板６の孔部７の位置を示す表示部４が形成されている。また、各表示部４の間を結ぶように表示されている線部５の交点によって周縁部以外の孔部７の位置を示している。
【００２４】
また、図２に示されるのは、構造用合板１の断面図の一例を示すものであり、構造用合板１は、２枚の木質系板材８と、１枚の多孔鋼板６とを積層して接着剤で貼り合わし、加熱加圧され一体に形成されている。木質系板材８は、木質板９，１０，１１を貼り合わした合板で形成されている。多孔鋼板６は、薄板状の金属板を貫通する孔部７が規則的間隔で形成されている。
【００２５】
さらに、図３及び図４に示されるのは、構造用合板１の表示部４の実施例を示す断面図であり、図３に係る実施例の表示部４は、構造用合板１の周縁部に位置する孔部７の真上位置の木質板９に、正面視では円形状であって、側面視では高さ方向に垂直加工された凹形状に形成されている。図４に係る実施例の表示部４は、側面視で高さ方向がテーパー状の凹形状に形成されている。
【００２６】
図５に示されているのは、下孔部１２を形成した場合の構造用合板１を示す断面図であり、表示部４の正面視で略中心位置であって構造用合板１の厚さ方向と平行な向きに、孔部７と連通し構造用合板１を貫通する下孔部１２が形成されている。下孔部１２は、構造用合板１の周縁部に位置する表示部４のうち、構造用合板１を枠体２に留め付ける固定強度を確保でき、かつ、壁構造体としての構造強度を得ることができる所要間隔で形成されている。
【００２７】
また、図６及び図７に示されるように、多孔鋼板６の孔部７の内周縁を、多孔鋼板６に対し略垂直に突設し、フランジ部１３が形成されている。フランジ部１３は、構造用合板１の周縁部に位置する孔部７では、構造用合板１の表側から裏側に向った方向へ突設し、周縁部以外の孔部７では一部逆向きに突設し形成されている。
【００２８】
本発明の構造用合板１を構成する木質系板材８としては、例えば、木質板９，１０，１１を複数枚組み合わせた合板、木削片板、木質繊維板、単板などを用いることができる。また、多孔鋼板６としては、例えば、鉄、アルミニウム、またはそれらの合金、真鍮などの板材を用いることができる。
【００２９】
本発明の構造用合板１を製造するには、金属製の薄板をプレス加工などで下穴を形成し、バーリング加工でフランジ部１３を立上げ形成し、多孔鋼板６を完成する。バーリング加工時には、例えば砲弾形のパンチを使用し、多孔鋼板６の板厚をＴ１からＴ２へ、しごき加工をすることで、フランジ部１３は材料が伸び鋭くとがった形状にも形成できる。また、孔部７の内径は、構造用合板１を枠体２に留め付け時に使用する釘３の胴部外径と略当接する所要内径に形成する。
【００３０】
次に、多孔鋼板６の両面に接着剤を塗布し、その両側に木質系板材８を積層し、加熱しながらプレス機などで加圧し、積層体を一体に固定すると共に、表示部４も凹形状に形成する。また、表示部４は、加圧して形成する以外に、切削加工で形成してもよい。さらに、線部５も表示部４と同様に加圧し形成、若しくは、インクなどで印刷して表示してもよい。最後に、下孔部１２は、構造用合板１の周縁部に位置する表示部４のうち所要間隔に切削加工で形成すれば良く、その間隔は、例えば、日本農林規格（JAS 規格）で規定されている間隔や強度を満たすように形成すれば良い。
【００３１】
本発明の構造用合板１を切断せず矩形状のまま使用する場合は、周縁部に形成した下孔部１２全てにもれなく釘、若しくはネジで留め付ければ良い。一方、枠体２の形状に合わせ切断して使用する場合は、線部５の交点で表示されている孔部７の位置を参考に留め付ける位置を決定する。
【実施例】
【００３２】
以下、本発明の実施例について説明するが、本発明は、以下の実施例に限定されるものではなく、発明の要旨の範囲内で適宜変更して実施できる。
【００３３】
本発明の構造用合板１を実施するには、全長を２７３０ｍｍとし、幅は１８２０ｍｍとし、厚さは１２ｍｍとした。多孔鋼板６は厚さ０．８ｍｍ鉄板を使用し、その両側には、木質系板材８であるアカマツの薄板を積層して、其々板材の間には接着剤を塗布して、加圧及び加熱して一体に固定した。
【００３４】
構造用合板１の周縁部には、１００ｍｍ以下の間隔で下孔部１２を形成し、孔部７の内径は２．８ｍｍに設定した。構造用合板１を枠体２に留め付けるために使用する釘はＪＩＳ規格ＣＮ５０（ＪＩＳＡ５５０８）に準拠した、太め鉄丸くぎで胴部径が２．８７ｍｍのものを使用した。
【００３５】
以上本実施形態と実施例の構造用合板１は、枠体２などに留め付ける際に孔部７を使用することから、従来の構造用合板に比べ枠体２などに対する固定強度と、耐力壁用面材としての水平抵抗性能が高く、施行作業性も良いので施工費削減となる効果がある。
【００３６】
また、孔部７の内径を、使用する釘３の胴部外径と略当接する所要内径とすることで、枠体２などに対する固定強度と、耐力壁用面材としての水平抵抗性能がより高くなる効果がある。さらに、フランジ部１３が、構造用合板１の周縁部に位置する孔部７においては、構造用合板１の表側から裏側に向った方向へ突設し形成されていることから、肩部１４の側から釘３が打ちこまれるので、釘打ちの案内となり作業性が向上する効果がある。
【００３７】
さらに、フランジ部１３を有することで、構造用合板１を作成する際にフランジ部１３が木質系板材８にくいこみ強固に合着することで、構造用合板１の反りや剥がれなどを防止できると同時に、フランジ部１３の高さｈが釘３の胴部外径と当接する面積を拡大することで、多孔鋼板６の厚さＴ１を薄く設定しても枠体２などに対する固定強度と、耐力壁用面材としての水平抵抗性能を確保できることから材料費を削減できる効果がある。
【００３８】
以上のように、本発明を実施するための最良の構成、方法等は、前記記載で開示されているが、本発明はこれに限定されるものではない。
例えば、上記実施形態や実施例では、木質系板材８は木質板９，１０，１１を複数枚組み合わせた合板としたが、木削片板、木質繊維板、単板などを用いることができる。
【００３９】
また、上記実施形態や実施例では、全ての孔部７を正面視略円形の小さな孔としたが、それに限定するものではなく、例えば、一部の孔部７を正面視多角形の孔に形成しても良く、特に形状を限定するものではない。
【００４０】
さらに、上記実施形態や実施例では、構造用合板１の周縁部以外の孔部７の位置を、線部５の交点で表示したが、それに限定するものではなく、例えば、周縁部の表示部４と同じ表示でも良く、特に形状を限定するものではない。
【符号の説明】
【００４１】
１    構造用合板
２    枠体
３    釘
４    表示部
５    線部
６    多孔鋼板
７    孔部
８    木質系板材
９，１０，１１    木質板
１２    下孔部
１３    フランジ部
１４    肩部
Ｔ１    板厚
Ｔ２    フランジ部板厚
ｈ    フランジ部高さ
【図１】
2019196603.tif 000003
【図２】
2019196603.tif 000004
【図３】
2019196603.tif 000005
【図４】
2019196603.tif 000006
【図５】
2019196603.tif 000007
【図６】
2019196603.tif 000008
【図７】
2019196603.tif 000009